(57)【要約】【課題】従来の情報処理システムにおいては、ユーザは、思いついた時に問い合わせを行い必要な時に情報を得ることができない、という課題があった。【解決手段】一の移動体端末と、第一サーバ装置と、第二サーバ装置を具備する情報処理システムであって、移動体端末は、近距離無線通信手段により、検索情報を第一サーバ装置に送信し、近距離無線通信手段により、第一サーバ装置とは異なる第二サーバ装置から検索情報に対応する情報である検索結果情報を受信し、受信した検索結果情報を出力し、第一サーバ装置から第二サーバ装置に検索情報を送信する情報処理システムにより、ユーザは、思いついた時に問い合わせを行い、必要な時に情報を得ることができる。【選択図】図２
2006276952.tif 000002
【特許請求の範囲】
【請求項１】
一の移動体端末と、第一サーバ装置と、第二サーバ装置を具備する情報処理システムであって、
前記移動体端末は、
情報を取得するための情報である検索情報を受け付ける検索情報受付部と、
近距離無線通信手段により、前記検索情報を有する端末検索情報を前記第一サーバ装置に送信する検索情報近距離送信部と、
近距離無線通信手段により、前記第二サーバ装置から前記検索情報に対応する情報である検索結果情報を受信する検索結果情報近距離受信部と、
前記検索結果情報受信部が受信した検索結果情報を出力する検索結果情報出力部を具備し、
前記第一サーバ装置は、
近距離無線通信手段により、前記移動体端末から前記検索情報を有する端末検索情報を受信する端末検索情報近距離受信部と、
前記検索情報受信部が受信した端末検索情報を、前記第二サーバ装置に送信する端末検索情報送信部を具備し、
前記第二サーバ装置は、
前記第一サーバ装置から端末検索情報を受信する端末検索情報受信部と、
前記端末検索情報が有する検索情報に基づいて情報を検索し、検索結果情報を取得する検索結果情報取得部と、
前記検索結果情報取得部が取得した検索結果情報を、近距離無線通信手段により、前記移動体端末に送信する検索結果情報近距離送信部を具備する情報処理システム。
【請求項２】
情報処理システムが具備する第二サーバ装置は２以上のサーバ装置であり、
前記検索結果情報近距離送信部は、
前記検索情報を送信した移動体端末を認識する移動体端末認識手段と、
前記移動体端末認識手段が移動体端末を認識した場合に、当該移動体端末が送信した検索情報に基づいて取得された検索結果情報を、前記移動体端末に送信する検索結果情報近距離送信手段を具備する請求項１記載の情報処理システム。
【請求項３】
情報処理システムが具備する第二サーバ装置は２以上のサーバ装置であり、
前記第二サーバ装置は、
前記端末検索情報受信部が受信した端末検索情報を他の第二サーバ装置に転送する端末検索情報転送部をさらに具備する請求項１記載の情報処理システム。
【請求項４】
前記検索結果情報近距離受信部は、
前記検索情報近距離送信部が送信した検索情報に対応する検索結果情報の有無に関して、通信可能な第二サーバ装置に対して、問い合わせる検索結果情報要求手段と、
前記検索結果情報要求手段の問い合わせに対応して、検索結果情報を受信する検索結果情報受信手段を具備する請求項１から請求項３いずれか記載の情報処理システム。
【請求項５】
前記端末検索情報は、検索情報と、前記移動体端末を識別する情報である端末識別子を有し、
前記検索結果情報取得部は、
前記検索情報受信部が端末検索情報を受信した場合に、前記端末検索情報が有する検索情報に基づいて情報を検索し、検索結果情報を取得する検索結果情報取得手段と、
前記検索結果情報取得手段が取得した検索結果情報と、前記端末検索情報が有する端末識別子を対にして蓄積する検索結果情報蓄積手段を具備し、
前記検索結果情報近距離送信部は、
前記端末識別子で識別される移動体端末に対して、当該端末識別子と対になる検索結果情報を送信する請求項１から請求項３いずれか記載の情報処理システム。
【請求項６】
前記第二サーバ装置は、
所定の条件に合致する場合に、前記端末検索情報または／および前記検索結果情報を削除する情報削除部をさらに具備する請求項１から請求項４いずれか記載の情報処理システム。
【請求項７】
前記情報削除部は、
前記端末検索情報受信部が端末検索情報を受信してから所定の時間経過後に、前記端末検索情報または／および前記検索結果情報を削除する請求項６記載の情報処理システム。
【請求項８】
前記端末検索情報転送部は、
所定の条件に合致した場合のみ、前記端末検索情報を他の第二サーバ装置に転送する請求項３記載の情報処理システム。
【請求項９】
前記所定の条件は、
前記端末検索情報を受信した第二サーバ装置の数が、あらかじめ決められた数以下である請求項８記載の情報処理システム。
【請求項１０】
請求項１から請求項９いずれか記載の情報処理システムを構成する移動体端末。
【請求項１１】
請求項１から請求項９いずれか記載の情報処理システムを構成する第一サーバ装置。
【請求項１２】
請求項１から請求項９いずれか記載の情報処理システムを構成する第二サーバ装置。
【請求項１３】
コンピュータに、
第一サーバ装置から端末検索情報を受信する端末検索情報受信ステップと、
前記端末検索情報が有する検索情報に基づいて情報を検索し、検索結果情報を取得する検索結果情報取得ステップと、
前記検索結果情報取得ステップで取得した検索結果情報を、近距離無線通信手段により、移動体端末に送信する検索結果情報近距離送信ステップを実行させるためのプログラム。
【請求項１４】
コンピュータに、
前記端末検索情報受信ステップで受信した端末検索情報を他の第二サーバ装置に転送する端末検索情報転送ステップをさらに実行させる請求項１３記載のプログラム。
【請求項１５】
コンピュータに、
所定の条件に合致する場合に、前記端末検索情報または／および前記検索結果情報を削除する情報削除ステップをさらに実行させるためのプログラム。
【請求項１６】
コンピュータに、
情報を取得するための情報である検索情報を受け付ける検索情報受付ステップと、
近距離無線通信手段により、前記検索情報を有する端末検索情報を第一サーバ装置に送信する検索情報近距離送信ステップと、
近距離無線通信手段により、第二サーバ装置から前記検索情報に対応する情報である検索結果情報を受信する検索結果情報近距離受信ステップと、
前記検索結果情報受信ステップで受信した検索結果情報を出力する検索結果情報出力ステップを実行させるためのプログラム。
【請求項１７】
コンピュータに、
近距離無線通信手段により、移動体端末から検索情報を有する端末検索情報を受信する端末検索情報近距離受信ステップと、
前記検索情報受信ステップで受信した端末検索情報を、第二サーバ装置に送信する端末検索情報送信ステップを実行させるためのプログラム。
【発明の詳細な説明】
【技術分野】
【０００１】
本発明は、移動体端末が情報を取得できる情報処理システム等に関するものである。
【背景技術】
【０００２】
従来の第一の情報処理システムにおいて、特定の場所に存在する携帯電話などの移動体通信端末に対して、ガイドなどの情報を配信することによって、場所に適した情報を配信することができ、誰もが簡単に、自由に情報を操作することが可能な情報配信サービスを提供できる情報処理システムがある（特許文献１参照）。
【０００３】
また、従来の第二の情報処理システムにおいて、コンテンツ利用者の位置情報と、コンテンツＩＤとコンテンツの属性情報を有するＤＣＤとを取得し、端末機能等を表すシステムプロファイル、利用者の条件を示すユーザポリシ、利用者の位置情報を組にしてＲＲＤＳを生成し、当該ＲＲＤＳに基づいて検索されたコンテンツを提供できる（特許文献２参照）。
【０００４】
さらに、従来の第三の情報処理システムにおいて、位置に関連した案内情報や介護支援情報等の提供サービスに好適な位置関連情報提供システム、情報提供用サーバ、通信装置及び情報発信媒体を提供できる（特許文献３参照）。
【特許文献１】特開２００２−２４５０７７号公報（第１頁、第１図等）
【特許文献２】特開２００２−２９７６５６号公報（第１頁、第１図等）
【特許文献３】特開２００２−３５９８７７号公報（第１頁、第１図等）
【発明の開示】
【発明が解決しようとする課題】
【０００５】
しかしながら、従来の情報処理システムにおいては、移動体端末は、近距離無線通信以外の遠距離の通信手段を用いて、直接に、必要な情報を保持しているサーバ装置に問い合わせたりする必要があったり、思いついた時に問い合わせを行い、必要な時に情報を得る、などということができない、という課題があった。
また、多数のサーバ間で情報のやりとりを行って、ようやく移動体端末が必要な情報を得る、ということもあり、かかる場合、予期せぬサーバに情報が複製されることとなり、情報の機密性に問題があった。
【課題を解決するための手段】
【０００６】
本第一の発明の情報処理システムは、一の移動体端末と、第一サーバ装置と、第二サーバ装置を具備する情報処理システムであって、前記移動体端末は、情報を取得するための情報である検索情報を受け付ける検索情報受付部と、近距離無線通信手段により、前記検索情報を前記第一サーバ装置に送信する検索情報近距離送信部と、近距離無線通信手段により、前記第二サーバ装置から前記検索情報に対応する情報である検索結果情報を受信する検索結果情報近距離受信部と、前記検索結果情報受信部が受信した検索結果情報を出力する検索結果情報出力部を具備し、前記第一サーバ装置は、近距離無線通信手段により、前記移動体端末から前記検索情報を有する端末検索情報を受信する端末検索情報近距離受信部と、前記検索情報受信部が受信した端末検索情報を、前記第二サーバ装置に送信する端末検索情報送信部を具備し、前記第二サーバ装置は、前記第一サーバ装置から端末検索情報を受信する端末検索情報受信部と、前記端末検索情報が有する検索情報に基づいて情報を検索し、検索結果情報を取得する検索結果情報取得部と、前記検索結果情報取得部が取得した検索結果情報を、近距離無線通信手段により、前記移動体端末に送信する検索結果情報近距離送信部を具備する情報処理システムである。
かかる構成により、ユーザは、思いついた時に問い合わせを行い、必要な時に情報を得ることができる。
【０００７】
また、本第二の発明の情報処理システムは、第一の発明に対して、情報処理システムが具備する第二サーバ装置は２以上のサーバ装置であり、前記検索結果情報近距離送信部は、前記検索情報を送信した移動体端末を認識する移動体端末認識手段と、前記移動体端末認識手段が移動体端末を認識した場合に、当該移動体端末が送信した検索情報に基づいて取得された検索結果情報を、前記移動体端末に送信する検索結果情報近距離送信手段を具備する情報処理システムである。
かかる構成により、ユーザは、思いついた時に問い合わせを行い、必要な時に情報を得ることができる。
【０００８】
また、本第三の発明の情報処理システムは、第一の発明に対して、情報処理システムが具備する第二サーバ装置は２以上のサーバ装置であり、前記第二サーバ装置は、前記端末検索情報受信部が受信した端末検索情報を他の第二サーバ装置に転送する端末検索情報転送部をさらに具備する情報処理システムである。
かかる構成により、ユーザは、思いついた時に問い合わせを行い、必要な時に情報を得ることができる。
【０００９】
また、本第四の発明の情報処理システムは、第一から第三いずれかの発明に対して、前記検索結果情報近距離受信部は、前記検索情報近距離送信部が送信した検索情報に対応する検索結果情報の有無に関して、通信可能な第二サーバ装置に対して、問い合わせる検索結果情報要求手段と、前記検索結果情報要求手段の問い合わせに対応して、検索結果情報を受信する検索結果情報受信手段を具備する情報処理システムである。
かかる構成により、ユーザは、思いついた時に問い合わせを行い、必要な時に情報を得ることができ、かつサーバ装置にとってセキュリティーが担保できる。
【００１０】
また、本第五の発明の情報処理システムは、第一から第三いずれかの発明に対して、前記端末検索情報は、検索情報と、前記移動体端末を識別する情報である端末識別子を有し、前記検索結果情報取得部は、前記検索情報受信部が端末検索情報を受信した場合に、前記端末検索情報が有する検索情報に基づいて情報を検索し、検索結果情報を取得する検索結果情報取得手段と、前記検索結果情報取得手段が取得した検索結果情報と、前記端末検索情報が有する端末識別子を対にして蓄積する検索結果情報蓄積手段を具備し、前記検索結果情報近距離送信部は、前記端末識別子で識別される移動体端末に対して、当該端末識別子と対になる検索結果情報を送信する情報処理システムである。
かかる構成により、ユーザは、思いついた時に問い合わせを行い、必要な時に情報を得ることができる。
【００１１】
また、本第六の発明の情報処理システムは、第一から第四いずれかの発明に対して、前記第二サーバ装置は、所定の条件に合致する場合に、前記端末検索情報または／および前記検索結果情報を削除する情報削除部をさらに具備する情報処理システムである。
かかる構成により、ユーザは、思いついた時に問い合わせを行い、必要な時に情報を得ることができ、かつサーバ装置の記録媒体の記憶容量を節約できる。
【００１２】
また、本第七の発明の情報処理システムは、第六の発明に対して、前記情報削除部は、前記端末検索情報受信部が端末検索情報を受信してから所定の時間経過後に、前記端末検索情報または／および前記検索結果情報を削除する情報処理システムである。
かかる構成により、ユーザは、思いついた時に問い合わせを行い、必要な時に情報を得ることができ、かつサーバ装置の記録媒体の記憶容量を節約できる。
また、本第八の発明の情報処理システムは、第三の発明に対して、前記端末検索情報転送部は、所定の条件に合致した場合のみ、前記端末検索情報を他の第二サーバ装置に転送する情報処理システムである。
かかる構成により、ユーザは、思いついた時に問い合わせを行い、必要な時に情報を得ることができ、かつネットワーク負荷の増大を防止できる。
また、本第九の発明の情報処理システムは、第八の発明に対して、前記所定の条件は、前記端末検索情報を受信した第二サーバ装置の数が、あらかじめ決められた数以下である情報処理システムである。
かかる構成により、ユーザは、思いついた時に問い合わせを行い、必要な時に情報を得ることができ、かつネットワーク負荷の増大を防止できる。
【発明の効果】
【００１３】
本発明による情報処理システムによれば、ユーザは、思いついた時に問い合わせを行い、必要な時に情報を得ることができる。
【発明を実施するための最良の形態】
【００１４】
以下、情報処理システム等の実施形態について図面を参照して説明する。なお、実施の形態において同じ符号を付した構成要素は同様の動作を行うので、再度の説明を省略する場合がある。
（実施の形態１）
【００１５】
図１は、本実施の形態における情報処理システムの概念図である。本情報処理システムは、一の移動体端末１１と、一の第一サーバ装置１２と、1以上の第二サーバ装置１３（１３（１）、１３（２）、１３（３）、・・・１３（ｎ））を具備する。現在、一の移動体端末１１と、一の第一サーバ装置１２は、例えば、大阪に存在する。第二サーバ装置１３（３）は、例えば、東京に存在する。そして、ユーザが、移動体端末１１を用いて、第一サーバ装置１２に情報検索の問い合わせを行う。かかる問い合わせは、例えば、「東京駅、ラーメン屋」といった問い合わせである。つまり、ユーザは、東京駅に到着した際に、東京駅近くでラーメン屋に行きたいと思っている。そして、第一サーバ装置１２は、第二サーバ装置１３に検索情報「東京駅、ラーメン屋」を転送する。なお、情報検索のための問い合わせに関する情報は、検索情報である。
【００１６】
そして、移動体端末１１を保持しているユーザが、例えば、新幹線で東京駅に到着した後に、東京駅に存在する第二サーバ装置１３（３）が、移動体端末１１を検知し、当該移動体端末１１に、東京駅近くのラーメン屋の情報を送信する。そして、当該移動体端末１１は、東京駅近くのラーメン屋の情報を受信し、出力する。かかる一連の処理により、ユーザは、目的の場所に来た際に、必要な情報を得ることができる。
【００１７】
移動体端末１１は、例えば、電話機能を有する携帯電話や、通信機能を有する携帯端末などである。また、移動体端末１１は、近距離無線通信手段を具備する。近距離無線通信手段は、例えば、ブルートゥース（登録商標）規格の通信手段や、無線タグによる通信手段や、赤外線による通信手段や、ＵＷＢ（Ｕｌｔｒａ  Ｗｉｄｅ  Ｂａｎｄ）、その他の近距離無線通信手段である。
【００１８】
第一サーバ装置１２は、ここでは、移動体端末１１から検索情報を受信し、第二サーバ装置１３に転送する情報処理装置である。つまり、第一サーバ装置１２は、ユーザが移動体端末１１に入力した情報検索のための問い合わせを受け付ける情報処理装置である。また、第一サーバ装置１２は、保持している情報や、自身が問い合わせることができる情報に関する問い合わせを受け付けた場合は、通常、当該情報を、移動体端末１１に送信する。
【００１９】
第二サーバ装置１３は、ここでは、移動体端末１１が第一サーバ装置１２に問い合わせた情報を、移動体端末１１に送信する情報処理装置である。なお、第二サーバ装置１３は、他の第二サーバ装置１３に検索情報を転送する機能を具備しても良い。
図２は、本実施の形態における情報処理システムのブロック図である。情報処理システムは、移動体端末１１、第一サーバ装置１２、第二サーバ装置１３を具備する。
移動体端末１１は、検索情報受付部１１０１、検索情報近距離送信部１１０２、検索結果情報近距離受信部１１０３、検索結果情報出力部１１０４を具備する。
検索結果情報近距離受信部１１０３は、例えば、検索結果情報要求手段１１０３１、検索結果情報受信手段１１０３２を具備する。
【００２０】
第一サーバ装置１２は、端末検索情報近距離受信部１２０１、端末検索情報送信部１２０２、端末検索情報受信部１３０１、検索結果情報取得部１３０２、検索結果情報近距離送信部１３０３、端末検索情報転送部１３０４、情報削除部１３０５を具備する。
【００２１】
第二サーバ装置１３は、端末検索情報近距離受信部１２０１、端末検索情報送信部１２０２、端末検索情報受信部１３０１、検索結果情報取得部１３０２、検索結果情報近距離送信部１３０３、端末検索情報転送部１３０４、情報削除部１３０５を具備する。
検索結果情報取得部１３０２は、検索結果情報取得手段１３０２１、検索結果情報蓄積手段１３０２２を具備する。
検索結果情報近距離送信部１３０３は、移動体端末認識手段１３０３１、検索結果情報近距離送信手段１３０３２を具備する。
【００２２】
なお、ここでは、第一サーバ装置１２と第二サーバ装置１３を同一の構成としている。ただし、第一サーバ装置１２は、端末検索情報近距離受信部１２０１、端末検索情報送信部１２０２のみを具備し、第二サーバ装置１３は、端末検索情報受信部１３０１、検索結果情報取得部１３０２、検索結果情報近距離送信部１３０３、端末検索情報転送部１３０４、情報削除部１３０５のみを具備する構成でも良い。
【００２３】
検索情報受付部１１０１は、情報を取得するための情報である検索情報を受け付ける。検索情報は、例えば、情報検索のためのキーワードである。また、検索情報は、例えば、ＵＲＬやＵＲＩなどの情報の存在場所を示す情報である。また、検索情報は、例えば、ＳＱＬなどの情報検索の問い合わせ式である。その他、検索情報の内容やデータ構造等は問わない。検索情報の入力手段は、テンキーやキーボードやマウスやメニュー画面によるもの等、何でも良い。検索情報受付部１１０１は、テンキーやキーボード等の入力手段のデバイスドライバーや、メニュー画面の制御ソフトウェア等で実現され得る。
【００２４】
検索情報近距離送信部１１０２は、検索情報受付部１１０１が受け付けた検索情報を有する端末検索情報を第一サーバ装置１２に送信する。また、検索情報近距離送信部１１０２は、検索情報受付部１１０１が受け付けた検索情報と端末識別子を有する端末検索情報を構成し、当該端末検索情報を第一サーバ装置１２に送信することは好適である。なお、ユーザが入力した検索情報と、検索情報近距離送信部１１０２が第一サーバ装置１２に送信する検索情報は、データ形式やデータ構造が異なる情報でも良い。また、端末検索情報は、検索情報と同一の情報でも良いし、上述したように、端末識別子などの他の情報を有しても良い。検索情報近距離送信部１１０２は、ブルートゥース等の近距離無線通信手段により実現され得る。
【００２５】
検索結果情報近距離受信部１１０３は、第二サーバ装置１３から検索情報に対応する情報である検索結果情報を受信する。なお、検索結果情報近距離受信部１１０３は、例えば、後述する検索結果情報要求手段１１０３１、および検索結果情報受信手段１１０３２により、その機能を実現する。ただし、検索結果情報近距離受信部１１０３は、検索結果情報を受信すれば、他の方法により受信しても良い。例えば、検索結果情報近距離受信部１１０３は、検索結果情報要求手段１１０３１を具備しなくても良い。かかる場合、第二サーバ装置１３がプッシュ型の情報配信を行い、検索結果情報近距離受信部１１０３は、自身の問い合わせた検索情報に対応する情報である検索結果情報を受信する。つまり、検索結果情報近距離受信部１１０３は、フィルタリングにより、自身が必要な情報のみを取得する。また、検索結果情報近距離受信部１１０３は、第一サーバ装置１２から検索情報に対応する情報である検索結果情報を受信する機能を有しても良い。検索結果情報近距離受信部１１０３は、ブルートゥース等の近距離無線通信手段により実現され得る。
【００２６】
検索結果情報要求手段１１０３１は、検索情報近距離送信部１１０２が送信した検索情報に対応する検索結果情報の有無に関して、通信可能な第二サーバ装置１３に対して、問い合わせる。検索結果情報要求手段１１０３１は、ブルートゥース等の近距離無線通信手段により実現され得る。
【００２７】
検索結果情報受信手段１１０３２は、検索結果情報要求手段１１０３１の問い合わせに対応して、検索結果情報を受信する。検索結果情報受信手段１１０３２は、ブルートゥース等の近距離無線通信手段により実現され得る。
【００２８】
検索結果情報出力部１１０４は、検索結果情報受信部１１０３が受信した検索結果情報を出力する。ここで、出力とは、ディスプレイへの表示、プリンタへの印字、音出力、外部の装置への送信等を含む概念である。出力部は、ディスプレイやスピーカー等の出力デバイスを含むと考えても含まないと考えても良い。検索結果情報出力部１１０４は、出力デバイスのドライバーソフトまたは、出力デバイスのドライバーソフトと出力デバイス等で実現され得る。
【００２９】
端末検索情報近距離受信部１２０１は、移動体端末１１から検索情報を有する端末検索情報を受信する。端末検索情報は、例えば、移動体端末１１を識別する情報である端末識別子と検索情報とを有する。端末識別子は、例えば、移動体端末１１のＩＰアドレスや、移動体端末１１のＭＡＣアドレスや、移動体端末１１の電話番号などである。端末検索情報のデータ構造は問わない。端末検索情報近距離受信部１２０１は、ブルートゥース等の近距離無線通信手段により実現され得る。
【００３０】
端末検索情報送信部１２０２は、端末検索情報近距離受信部１２０１が受信した端末検索情報を、第二サーバ装置１３に送信する。なお、端末検索情報送信部１２０２は、端末検索情報近距離受信部１２０１が端末検索情報を受信した際に、常に、端末検索情報を、第二サーバ装置１３に送信しても良いし、後述する検索結果情報取得部１３０２が、端末検索情報が有する検索情報に対応する検索結果情報を取得できない場合にのみ、第二サーバ装置１３に端末検索情報を送信しても良い。なお、端末検索情報送信部１２０２は、後述する検索結果情報取得部１３０２が、端末検索情報が有する検索情報に対応する検索結果情報を取得できない場合にのみ、第二サーバ装置１３に端末検索情報を送信することが好適である。また、端末検索情報送信部１２０２が端末検索情報を、第二サーバ装置１３に送信するタイミングは問わない。端末検索情報送信部１２０２は、無線または有線の通信手段等で実現され得る。通常、無線または有線の通信手段で実現されるが、放送手段で実現されても良い。なお、通常、端末検索情報送信部１２０２は、ブルートゥースなどの近距離無線通信手段ではない。端末検索情報送信部１２０２は、近距離無線通信手段ではなく、通常、いわゆる遠距離通信手段で実現される。
【００３１】
端末検索情報受信部１３０１は、第一サーバ装置１２や他の第二サーバ装置１３から端末検索情報を受信する。端末検索情報受信部１３０１は、通常、無線または有線の通信手段で実現されるが、放送を受信する手段で実現されても良い。
【００３２】
検索結果情報取得部１３０２は、端末検索情報が有する検索情報に基づいて情報を検索し、検索結果情報を取得する。検索結果情報取得部１３０２は、第二サーバ装置１３が保持する情報群（図示しない）から検索結果情報を取得しても良いし、アクセス可能な他の第二サーバ装置１３や、アクセス可能な第一サーバ装置１２から検索結果情報を取得しても良い。なお、情報群は、例えば、多量のデータが格納されている大容量データベースである。検索結果情報取得部１３０２の処理は、検索技術等の公知技術で実現可能である。検索結果情報取得部１３０２は、通常、ＭＰＵやメモリ等から実現され得る。検索結果情報取得部１３０２の処理手順は、通常、ソフトウェアで実現され、当該ソフトウェアはＲＯＭ等の記録媒体に記録されている。但し、ハードウェア（専用回路）で実現しても良い。
【００３３】
検索結果情報取得手段１３０２１は、端末検索情報受信部１３０１が端末検索情報を受信した場合に、端末検索情報が有する検索情報に基づいて情報を検索し、検索結果情報を取得する。検索結果情報取得手段１３０２１は、通常、ＭＰＵやメモリ等から実現され得る。検索結果情報取得手段の処理手順は、通常、ソフトウェアで実現され、当該ソフトウェアはＲＯＭ等の記録媒体に記録されている。但し、ハードウェア（専用回路）で実現しても良い。
【００３４】
検索結果情報蓄積手段１３０２２は、検索結果情報取得手段１３０２１が取得した検索結果情報と、端末検索情報が有する端末識別子を対にして蓄積する。検索結果情報蓄積手段１３０２２が蓄積する情報の構造は問わない。検索結果情報蓄積手段１３０２２は、端末識別子に基づいて、検索結果情報が取得できる態様で、情報を蓄積すれば良い。また、検索結果情報蓄積手段１３０２２が情報を蓄積する先の記録媒体は、第二サーバ装置１３等の内蔵の記録媒体でも良いし、外付けの記録媒体でも良いし、外部装置の記録媒体でも良い。また、検索結果情報蓄積手段１３０２２は、検索結果情報のみを蓄積しても良い。かかる場合、移動体端末１１は、誰の問い合わせかを問わず、情報を取得することとなる。検索結果情報蓄積手段１３０２２は、通常、ＭＰＵやメモリ等から実現され得る。検索結果情報蓄積手段の処理手順は、通常、ソフトウェアで実現され、当該ソフトウェアはＲＯＭ等の記録媒体に記録されている。但し、ハードウェア（専用回路）で実現しても良い。検索結果情報蓄積手段１３０２２は、情報を蓄積する記録媒体を含むと考えても良い。
【００３５】
検索結果情報近距離送信部１３０３は、検索結果情報取得部１３０２が取得した検索結果情報を、近距離無線通信手段により、移動体端末１１に送信する。検索結果情報近距離送信部１３０３は、通常、端末識別子で識別される移動体端末１１に対して、当該端末識別子と対になる検索結果情報を送信する。検索結果情報近距離送信部１３０３は、ブルートゥース等の近距離無線通信手段により実現され得る。
【００３６】
移動体端末認識手段１３０３１は、検索情報を送信した移動体端末を認識する。移動体端末認識手段１３０３１は、通常、ブルートゥース等の近距離無線通信手段と認識処理を行うソフトウェアとＭＰＵ等により実現され得る。
【００３７】
検索結果情報近距離送信手段１３０３２は、移動体端末認識手段１３０３１が移動体端末１１を認識した場合に、当該移動体端末１１が送信した検索情報に基づいて取得された検索結果情報を、移動体端末１１に送信する。検索結果情報近距離送信手段１３０３２は、ブルートゥース等の近距離無線通信手段と、認識処理を行うソフトウェア、ＭＰＵ等により実現され得る。
【００３８】
端末検索情報転送部１３０４は、端末検索情報受信部１３０１が受信した端末検索情報を他の第二サーバ装置１３に転送する。端末検索情報転送部１３０４は、所定の条件に合致した場合のみ、端末検索情報を他の第二サーバ装置１３に転送することは好適である。ここで、所定の条件とは、例えば、端末検索情報を受信した第二サーバ装置１３の数が、あらかじめ決められた数以下であることである。端末検索情報転送部１３０４は、通常、無線または有線の通信手段等で実現され得る。
【００３９】
情報削除部１３０５は、所定の条件に合致する場合に、端末検索情報または／および検索結果情報を削除する。所定の条件に合致する場合とは、例えば、端末検索情報受信部１３０１が端末検索情報を受信してから所定の時間経過したことである。また、所定の条件に合致する場合とは、例えば、検索情報受付部１１０１が検索情報を受け付けてから所定の時間経過したことである。また、所定の条件に合致する場合とは、例えば、端末検索情報近距離受信部１２０１が、端末検索情報を受信してから所定の時間経過したことである。また、所定の条件に合致する場合とは、例えば、端末検索情報送信部１２０２が端末検索情報を送信してから所定の時間経過したことである。また、所定の条件に合致する場合とは、検索結果情報蓄積手段１３０２２が、検索結果情報を蓄積してから所定の時間経過したことである。また、所定の条件に合致する場合とは、検索結果情報蓄積手段１３０２２が、検索結果情報を蓄積してから、日が変わったことである。その他、情報削除部１３０５は、ユーザにより情報の保持期間を定めていても良いし、情報の内容や属性により保持期間を定めていても良い。所定の条件には、種々の条件が含まれる。情報削除部１３０５は、通常、ＭＰＵやメモリ等から実現され得る。情報削除部の処理手順は、通常、ソフトウェアで実現され、当該ソフトウェアはＲＯＭ等の記録媒体に記録されている。但し、ハードウェア（専用回路）で実現しても良い。
次に、本情報処理システムの動作について図３から図５のフローチャートを用いて説明する。まず、図３フローチャートを用いて、移動体端末１１の動作を説明する。
【００４０】
（ステップＳ３０１）検索情報受付部１１０１は、検索情報を受け付けたか否かを判断する。検索情報を受け付ければステップＳ３０２に行き、検索情報を受け付けなければステップＳ３１３に行く。なお、ステップＳ３０２に行くための条件が、例えば、検索情報受付部１１０１が検索情報を受け付けたこと、および、移動体端末１１の「決定」ボタンが押下されたことであっても良い。
【００４１】
（ステップＳ３０２）検索情報近距離送信部１１０２は、端末識別子を取得する。なお、端末識別子は、例えば、移動体端末１１に予め格納されている。また、端末識別子は、例えば、外部の装置（例えば、接続されているルーター等の通信機器）から取得しても良い。
（ステップＳ３０３）検索情報近距離送信部１１０２は、ステップＳ３０１で受け付けた検索情報と、ステップＳ３０２で取得した端末識別子に基づいて、第一サーバ装置１２に送信する端末検索情報を構成する。
（ステップＳ３０４）検索情報近距離送信部１１０２は、ステップＳ３０３で構成した端末検索情報を、近距離無線通信手段により、第一サーバ装置１２に送信する。
【００４２】
（ステップＳ３０５）検索結果情報近距離受信部１１０３は、第一サーバ装置１２から検索情報に対応する情報である検索結果情報を受信したか否かを判断する。第一サーバ装置１２から検索結果情報を受信すればステップＳ３０６に行き、第一サーバ装置１２から検索結果情報しなければステップＳ３０７に行く。なお、検索結果情報近距離受信部１１０３は、第一サーバ装置１２から検索結果情報を受信したか否かを判断する場合に、所定の時間、待機することが好適である。
（ステップＳ３０６）検索結果情報出力部１１０４は、ステップＳ３０５で受信した検索結果情報を出力する。検索結果情報の出力態様は、問わない。ステップＳ３０１に戻る。
【００４３】
（ステップＳ３０７）検索結果情報近距離受信部１１０３は、第一サーバ装置１２から検索情報に対応する情報である検索結果情報を取得できなかった旨を示す「非保持の情報」を受信したか否かを判断する。なお、非保持の情報は、検索結果情報の一種であると考えても良い。「非保持の情報」を受信すればステップＳ３０８に行き、「非保持の情報」を受信しなければステップＳ３０９に行く。
【００４４】
（ステップＳ３０８）検索結果情報出力部１１０４は、ステップＳ３０７で受信した非保持の情報を出力する。ここで、ユーザは、第一サーバ装置１２が検索情報に対応する検索結果情報を取得できなかったことを知り、しかるべき場所に移動してから、検索結果情報を得ることができると判断する。ステップＳ３０１に戻る。
【００４５】
（ステップＳ３０９）検索結果情報要求手段１１０３１は、タイムアウトか否かを判断する。タイムアウトとは、例えば、検索結果情報要求手段１１０３１が検索情報に対応する検索結果情報の有無に関して、通信可能な第二サーバ装置１３に対して、問い合わせてから所定の時間経過したことである。また、タイムアウトとは、例えば、検索情報近距離送信部１１０２が端末検索情報を第一サーバ装置１２に送信してから所定の時間経過したことである。
【００４６】
（ステップＳ３１０）検索結果情報要求手段１１０３１は、ステップＳ３０３で構成した端末検索情報と同一の端末検索情報が既に蓄積されているか否かを判断する。同一の端末検索情報が既に蓄積されていればステップＳ３１１に行き、同一の端末検索情報が既に蓄積されていなければステップＳ３１２に行く。
（ステップＳ３１１）検索結果情報要求手段１１０３１は、最近にステップＳ３０３で構成した端末検索情報を蓄積する。
（ステップＳ３１２）検索結果情報要求手段１１０３１は、所定の時間、待機する。所定の時間は、５分でも良いし、１分でも良い。所定の時間の長さは、問わない。
【００４７】
（ステップＳ３１３）検索結果情報要求手段１１０３１は、移動体端末１１に端末検索情報が蓄積されているか否かを判断する。端末検索情報が蓄積されていればステップＳ３１４に行き、端末検索情報が蓄積されていなければステップＳ３０１に戻る。
【００４８】
（ステップＳ３１４）検索結果情報要求手段１１０３１は、蓄積されている端末検索情報に対応する問い合わせを、第二サーバ装置１３に行う。なお、蓄積されている端末検索情報が２以上存在する場合は、検索結果情報要求手段１１０３１は、２以上の問い合わせを行う。ステップＳ３０５に行く。
【００４９】
なお、図３のフローチャートにおいて、検索結果情報要求手段１１０３１は、移動体端末１１に端末検索情報が蓄積されているか否かを判断してから、蓄積されている端末検索情報に対応する問い合わせを、第二サーバ装置１３に行った。しかし、図３のフローチャートにおいて、移動体端末１１は、例えば、定期的に端末識別子を外部に送信しても良い。かかる場合、端末識別子は、検索結果情報を受信するトリガーとなる。
なお、図３のフローチャートにおいて、電源オフや処理終了の割り込みにより処理は終了する。
次に、第一サーバ装置１２と第二サーバ装置１３の動作について図４、図５のフローチャートを用いて説明する。ここでは、第一サーバ装置１２と第二サーバ装置１３の動作は、同一である。
（ステップＳ４０１）端末検索情報近距離受信部１２０１は、端末検索情報を受信したか否か判断する。端末検索情報を受信すればステップＳ４０２に行き、端末検索情報を受信しなければステップＳ４０６に行く。
（ステップＳ４０２）検索結果情報取得部１３０２は、ステップＳ４０１で受信した端末検索情報が有する検索情報に基づいて情報を取得する。この取得した情報は、検索結果情報である。
【００５０】
（ステップＳ４０３）検索結果情報近距離送信部１３０３は、ステップＳ４０２で取得した検索結果情報が存在するか否か（情報を取得できたか否か）を判断する。検索結果情報が存在すればステップＳ４０４に行き、検索結果情報が存在しなければステップＳ４０５に行く。
（ステップＳ４０４）検索結果情報近距離送信部１３０３は、端末検索情報を送信した移動体端末１１に、ステップＳ４０２で取得した検索結果情報を送信する。ステップＳ４０１に戻る。
【００５１】
（ステップＳ４０５）端末検索情報転送部１３０４は、ステップＳ４０１で受信した端末検索情報を他の第二サーバ装置１３に送信する。なお、端末検索情報を送信する他の第二サーバ装置１３は、例えば、第一サーバ装置１２または第二サーバ装置１３が管理している他の第二サーバ装置１３である。また、端末検索情報転送部１３０４は、第二サーバ装置１３を特定せず、端末検索情報をブロードキャストしても良い。
【００５２】
（ステップＳ４０６）端末検索情報受信部１３０１は、他の第二サーバ装置１３から端末検索情報を受信したか否かを判断する。端末検索情報を受信すればステップＳ４０７に行き、端末検索情報を受信しなければステップＳ４１１に行く。
（ステップＳ４０７）検索結果情報取得手段１３０２１は、ステップＳ４０６で受信した端末検索情報が有する検索情報に基づいて情報を取得する。この取得した情報は、検索結果情報である。
【００５３】
（ステップＳ４０８）検索結果情報近距離送信部１３０３は、ステップＳ４０７で取得した検索結果情報が存在するか否か（情報を取得できたか否か）を判断する。検索結果情報が存在すればステップＳ４０９に行き、検索結果情報が存在しなければステップＳ４１０に行く。
（ステップＳ４０９）検索結果情報蓄積手段１３０２２は、ステップＳ４０７で取得した検索結果情報を蓄積する。検索結果情報蓄積手段１３０２２は、通常、端末識別子と対にして検索結果情報を蓄積する。
【００５４】
（ステップＳ４１０）端末検索情報転送部１３０４は、ステップＳ４０６で受信した端末検索情報を他の第二サーバ装置１３に転送する。なお、端末検索情報を送信する他の第二サーバ装置１３は、例えば、第一サーバ装置１２または第二サーバ装置１３が管理している他の第二サーバ装置１３である。また、端末検索情報転送部１３０４は、第二サーバ装置１３を特定せず、端末検索情報をブロードキャストしても良い。
【００５５】
（ステップＳ４１１）移動体端末認識手段１３０３１は、移動体端末１１を認識したか否かを判断する。移動体端末１１を認識すればステップＳ４１２に行き、移動体端末１１を認識しなければステップＳ４１６に行く。
【００５６】
（ステップＳ４１２）移動体端末認識手段１３０３１は、認識した移動体端末１１を識別する端末識別子を取得する。端末識別子は、通常、移動体端末１１から送信され、移動体端末認識手段１３０３１が受信した情報である。
【００５７】
（ステップＳ４１３）検索結果情報近距離送信手段１３０３２は、ステップＳ４１２で取得した端末識別子と対になっている検索結果情報を取得する動作を行う。なお、この検索結果情報は、ステップＳ４０９で蓄積された検索結果情報である。
【００５８】
（ステップＳ４１４）検索結果情報近距離送信手段１３０３２は、ステップＳ４１３で取得された情報が存在するか否かを判断する。情報が存在すればステップＳ４１５に行き、情報が存在しなければステップＳ４０１に戻る。
（ステップＳ４１５）検索結果情報近距離送信手段１３０３２は、ステップＳ４１３で取得された検索結果情報を、ステップＳ４１１で認識した移動体端末１１に送信する。ステップＳ４０１に戻る。
【００５９】
（ステップＳ４１６）情報削除部１３０５は、所定の条件に合致する端末検索情報または／および検索結果情報を削除する。なお、第一サーバ装置１２、または第二サーバ装置１３が、受信した端末検索情報を蓄積しない構成である場合、情報削除部１３０５は、端末検索情報を削除しない。ステップＳ４０１に戻る。
なお、図４のフローチャートにおいて、電源オフや処理終了の割り込みにより処理は終了する。
次に、情報削除の動作について図５のフローチャートを用いて説明する。
（ステップＳ５０１）情報削除部１３０５は、カウンタｉに１を代入する。
（ステップＳ５０２）情報削除部１３０５は、第一サーバ装置１２または第二サーバ装置１３に蓄積されている検索結果情報の数（ｎ）を取得する。
（ステップＳ５０３）情報削除部１３０５は、カウンタｉがｎ以下であるか否かを判断する。カウンタｉがｎ以下であればステップＳ５０４に行き、カウンタｉがｎより大きければ上位関数にリターンする。
（ステップＳ５０４）情報削除部１３０５は、第一サーバ装置１２または第二サーバ装置１３に蓄積されているｉ番目の検索結果情報を取得する。
【００６０】
（ステップＳ５０５）情報削除部１３０５は、ステップＳ５０４で取得したｉ番目の検索結果情報が所定の条件に合致するか否かを判断する。所定の条件に合致すればステップＳ５０６に行き、所定の条件に合致しなければステップＳ５０７に飛ぶ。
（ステップＳ５０６）情報削除部１３０５は、ｉ番目の検索結果情報を削除する。
（ステップＳ５０７）情報削除部１３０５は、カウンタｉを１、インクリメントする。ステップＳ５０３に戻る。
【００６１】
なお、図５のフローチャートにおいて、削除する情報は、検索結果情報ではなく、端末検索情報や検索情報（問い合わせの情報）でも良い。また、削除する情報は、検索結果情報、および端末検索情報や検索情報でも良い。また、情報削除部１３０５が上記処理を起動するタイミングや頻度は問わない。
【００６２】
以下、本実施の形態における情報処理システムの具体的な動作について説明する。情報処理システムの概念図は図１である。本情報処理システムは、ここでは、移動体端末１１、第一サーバ装置１２、第二サーバ装置１３（１）、第二サーバ装置１３（２）、第二サーバ装置１３（３）を有する、とする。また、移動体端末１１は、端末識別子「０９０１２３４５５５５」を格納している、とする。
【００６３】
また、第一サーバ装置１２は、新大阪駅の周辺に設置されているサーバ装置である。また、第二サーバ装置１３（１）は、静岡駅の周辺に設置されているサーバ装置である。また、第二サーバ装置１３（２）は、小田原駅の周辺に設置されているサーバ装置である。さらに、第二サーバ装置１３（３）は、東京駅の周辺に設置されているサーバ装置である。
【００６４】
そして、第一サーバ装置１２は、図６に示す店舗管理表を保持している、とする。店舗管理表は、駅周辺に存在する店舗の情報を管理する表である。店舗管理表は、「ＩＤ」「業種」「駅名」「店舗名」「店舗情報」の属性値を有する。「ＩＤ」は、レコードを識別する情報であり、表におけるレコード管理のために存在する。「業種」は、店舗の業種を示す属性である。「駅名」は、駅名を示す属性である。「店舗名」は、店舗名を示す属性である。「店舗情報」は、属性値「店舗名」の店舗に関する属性である。「店舗情報」は、店舗の情報自体であっても良いし、ＵＲＬやＵＲＩやポインタ情報（情報が存在する場所やアドレスの情報）などの情報を取得するための情報でも良い。
【００６５】
また、第二サーバ装置１３（１）は、図７に示す店舗管理表を保持している、とする。第二サーバ装置１３（３）は、図８に示す店舗管理表を保持している、とする。なお、第二サーバ装置１３（２）も、図示しない店舗管理表を保持している、とする。
かかる場合、ユーザは、移動体端末１１を保持して、新大阪駅から東京駅まで新幹線で移動する、とする。
【００６６】
そして、まず、ユーザは、新大阪駅で新幹線に乗車する前に、東京駅に到着後、ラーメンを食べたいと思い、問い合わせを開始した、とする。そして、ユーザは、図９に示すように、キーワード「ラーメン」「東京駅」を入力し、「検索」ボタンを押下した、とする。
次に、検索情報受付部１１０１は、検索情報を受け付ける。ここで、検索情報は、「ラーメン、東京駅」である。なお、検索情報は、ＳＱＬ文など、他の形式、構造でも良いことは言うまでもない。
【００６７】
次に、検索情報近距離送信部１１０２は、格納している端末識別子「０９０１２３４５５５５」を取得する。そして、検索情報近距離送信部１１０２は、受け付けた検索情報と、取得した端末識別子に基づいて、第一サーバ装置１２に送信する端末検索情報を構成する。ここで、構成した端末検索情報は、図１０である。そして、検索情報近距離送信部１１０２は、図１０の端末検索情報を、近距離無線通信手段により、第一サーバ装置１２に送信する。
【００６８】
次に、第一サーバ装置１２は、図１０の端末検索情報を受信する。そして、第一サーバ装置１２は、まず、検索情報に基づいて、自身が格納している店舗管理表（図６参照）を検索する。つまり、第一サーバ装置１２は、「ラーメン、東京駅」を含むレコードが存在するか否かを、図６の店舗管理表から検索する。そして、第一サーバ装置１２は、図６の店舗管理表に、「ラーメン、東京駅」を含むレコードが存在しないことを検出し、他のアクセス可能な第二サーバ装置（図示しない）に問い合わせる。ここで、他のアクセス可能な第二サーバ装置が格納している店舗管理表も、「ラーメン、東京駅」を含むレコードを有しない、とする。そして、第一サーバ装置１２は、他のアクセス可能な第二サーバ装置１３から検索結果が得られないことを検知し、移動体端末１１に送信する情報を取得する。ここでは、移動体端末１１に送信する情報は、「この近くには条件に合致する情報はございません。」である。なお、第一サーバ装置１２は、例えば、移動体端末１１に送信する情報を予め格納している。
次に、第一サーバ装置１２は、移動体端末１１に、情報「この近くには条件に合致する情報はございません。」を、近距離無線通信手段により、送信する。
そして、移動体端末１１は、情報「この近くには条件に合致する情報はございません。」を受信し、図１１に示すように出力する。
【００６９】
次に、端末検索情報転送部１３０４は、端末検索情報（図１０）を他の第二サーバ装置１３に送信する。端末検索情報転送部１３０４が端末検索情報を送信する第二サーバ装置１３を識別する情報は、第一サーバ装置１２が予め格納していても良い。また、端末検索情報転送部１３０４は、第二サーバ装置１３を特定せずに、端末検索情報をブロードキャストしても良い。
【００７０】
次に、第二サーバ装置１３（１）は、端末検索情報（図１０）を受信する。そして、第二サーバ装置１３（１）は、端末検索情報が有する検索情報「ラーメン、東京駅」に基づいて、図７の店舗管理表を検索する。図７の店舗管理表において、「ラーメン、東京駅」を含むレコードが存在しない。また、第二サーバ装置１３（１）は、アクセス可能な第二サーバ装置１３（２）にも問い合わせる。しかし、アクセス可能な第二サーバ装置１３（２）が保持している店舗管理表においても、「ラーメン、東京駅」を含むレコードが存在しない、とする。そして、第二サーバ装置１３（１）は、検索情報「ラーメン、東京駅」に基づいて、情報を取得できなかったことを検出する。次に、通常、第二サーバ装置１３（１）は、受信した端末検索情報を削除する。
次に、第二サーバ装置１３（１）の端末検索情報転送部１３０４は、図１０の端末検索情報を、他の第二サーバ装置１３に転送する。
【００７１】
そして、第二サーバ装置１３（３）の端末検索情報受信部１３０１は、図１０の端末検索情報を受信した、とする。次に、第二サーバ装置１３（３）の検索結果情報取得手段１３０２１は、端末検索情報が有する検索情報「ラーメン、東京駅」に基づいて、図８の店舗管理表を検索する。そして、検索結果情報取得手段１３０２１は、図８の「ＩＤ＝３」のレコードが、検索情報が示す検索条件に合致したことを検出する。そして、検索結果情報取得手段１３０２１は、図８の「ＩＤ＝３」のレコードの属性値「店舗情報」を取得する。そして、検索結果情報蓄積手段１３０２２は、取得した検索結果情報を、端末識別子と対にして蓄積する。検索結果情報蓄積手段１３０２２が蓄積した情報を図１２に示す。なお、検索結果情報取得手段１３０２１が蓄積した端末識別子は、端末検索情報受信部１３０１が受信した端末検索情報が有する端末識別子である。
【００７２】
次に、ユーザは、移動体端末１１を保持して、新大阪駅から新幹線に乗車する。そして、例えば、静岡駅を通過する、とする。その際、第二サーバ装置１３（１）の移動体端末認識手段１３０３１は、移動体端末１１を認識する、つまり、移動体端末認識手段１３０３１は、移動体端末１１の端末識別子「０９０１２３４５５５５」を受信する。そして、第二サーバ装置１３（１）の検索結果情報近距離送信手段１３０３２は、端末識別子「０９０１２３４５５５５」と対の検索結果情報が蓄積されていないか否かを判断する。ここで、検索結果情報近距離送信手段１３０３２は、端末識別子「０９０１２３４５５５５」と対の検索結果情報が存在しないことを検出し、処理を停止する。なお、ここでは、移動体端末１１は、自身の端末識別子「０９０１２３４５５５５」を定期的に外部に送信している、とする。そして、第二サーバ装置は、所定の距離以内に発信された端末識別子を受信する仕組みとなっている、とする。
同様に、本ユーザが乗車した新幹線が小田原駅を通過する際に、第二サーバ装置１３（２）は、上記の第二サーバ装置１３（１）と同様の動作を行う。
【００７３】
次に、ユーザは、移動体端末１１を保持して、東京駅に到着した、とする。そして、第二サーバ装置１３（３）の移動体端末認識手段１３０３１は、移動体端末１１の端末識別子「０９０１２３４５５５５」を受信する。
【００７４】
次に、第二サーバ装置１３（３）の検索結果情報近距離送信手段１３０３２は、蓄積されている情報から、取得した端末識別子「０９０１２３４５５５５」と対になっている検索結果情報「金丸亭（東京駅店）は、・・・・。」を取得する。
次に、第二サーバ装置１３（３）の検索結果情報近距離送信手段１３０３２は、取得された検索結果情報「金丸亭（東京駅店）は、・・・・。」を、認識した移動体端末１１に送信する。
【００７５】
次に、端末識別子「０９０１２３４５５５５」で識別される移動体端末１１は、検索結果情報「金丸亭（東京駅店）は、・・・・。」を受信する。次に、検索結果情報出力部１１０４は、ステップＳ３０５で受信した検索結果情報を出力する。かかる出力例を、図１３に示す。ユーザは、図１３の画面からＵＲＬを選択し、「決定」ボタンを押下すると、当該ＵＲＬが示すページを取得できる。
【００７６】
なお、上記具体例において、第二サーバ装置１３（３）の情報削除部は、例えば、端末検索情報受信部１３０１が端末検索情報を受信してから所定の時間経過後（例えば、２４時間後）に、端末検索情報または／および検索結果情報を削除することは好適である。不要な検索結果情報等が蓄積され、第二サーバ装置１３（３）の記録媒体の記憶容量が少なくなることを回避できる。
【００７７】
また、上記具体例において、第二サーバ装置１３の端末検索情報転送部１３０４は、所定の条件に合致した場合のみ、端末検索情報を他の第二サーバ装置に転送することは好適である。無条件に端末検索情報を転送し続けた場合に、ネットワーク負荷が多大になるからである。なお、所定の条件とは、例えば、端末検索情報を受信した第二サーバ装置の数が、あらかじめ決められた数以下であることである。つまり、所定の条件とは、例えば、端末検索情報をリレーする第二サーバ装置の数が、所定数以下であることである。
【００７８】
以上、本実施の形態によれば、ユーザは、思いついた時に問い合わせを行い、必要な時に情報を得ることができる。また、サーバ装置は、許された他のサーバ装置の範囲内で情報を取得するので、セキュリティーが担保され得る。
【００７９】
なお、本実施の形態によれば、第二サーバ装置１３の検索結果情報取得部１３０２は、端末検索情報受信部１３０１が端末検索情報を受信した後、ただちに検索結果情報を取得する動作を行ったが、検索結果情報取得部１３０２が検索結果情報を取得する動作を行うタイミングは問わない。つまり、例えば、第二サーバ装置１３の検索結果情報取得部１３０２は、移動体端末認識手段１３０３１が移動体端末を認識した後、検索結果情報を取得する動作を行っても良い。かかる場合、第二サーバ装置１３は、通常、受信した端末検索情報を蓄積しておく。また、かかる場合、情報削除部１３０５は、所定の条件に合致する場合に、端末検索情報を削除する。
【００８０】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理システムの移動体端末を実現するソフトウェアは、以下のようなプログラムである。つまり、このプログラムは、コンピュータに、情報を取得するための情報である検索情報を受け付ける検索情報受付ステップと、近距離無線通信手段により、前記検索情報を有する端末検索情報を第一サーバ装置に送信する検索情報近距離送信ステップと、近距離無線通信手段により、第二サーバ装置から前記検索情報に対応する情報である検索結果情報を受信する検索結果情報近距離受信ステップと、前記検索結果情報受信ステップで受信した検索結果情報を出力する検索結果情報出力ステップを実行させるためのプログラム、である。
【００８１】
また、本実施の形態における情報処理システムの第一サーバ装置を実現するソフトウェアは、以下のようなプログラムである。コンピュータに、近距離無線通信手段により、移動体端末から検索情報を有する端末検索情報を受信する端末検索情報近距離受信ステップと、前記検索情報受信ステップで受信した端末検索情報を、第二サーバ装置に送信する端末検索情報送信ステップを実行させるためのプログラム、である。
【００８２】
また、本実施の形態における情報処理システムの第二サーバ装置を実現するソフトウェアは、以下のようなプログラムである。コンピュータに、第一サーバ装置から端末検索情報を受信する端末検索情報受信ステップと、前記端末検索情報が有する検索情報に基づいて情報を検索し、検索結果情報を取得する検索結果情報取得ステップと、前記検索結果情報取得ステップで取得した検索結果情報を、近距離無線通信手段により、移動体端末に送信する検索結果情報近距離送信ステップを実行させるためのプログラム、である。
【００８３】
また、本実施の形態における情報処理システムの第二サーバ装置を実現するソフトウェアは、以下のようなプログラムでも良い。つまり、前記検索結果情報近距離送信ステップは、前記検索情報を送信した移動体端末を認識する移動体端末認識ステップと、前記移動体端末認識ステップで移動体端末を認識した場合に、当該移動体端末が送信した検索情報に基づいて取得された検索結果情報を、前記移動体端末に送信する検索結果情報近距離送信ステップを具備するプログラム、である。
【００８４】
また、第二サーバ装置を実現するソフトウェアは、コンピュータに、前記端末検索情報受信ステップで受信した端末検索情報を他の第二サーバ装置に転送する端末検索情報転送ステップをさらに実行させるプログラムでも良い。
【００８５】
また、第二サーバ装置を実現するソフトウェアにおいて、前記検索結果情報取得ステップは、前記検索情報受信ステップで端末検索情報を受信した場合に、前記端末検索情報が有する検索情報に基づいて情報を検索し、検索結果情報を取得する検索結果情報取得ステップと、前記検索結果情報取得ステップで取得した検索結果情報と、前記端末検索情報が有する端末識別子を対にして蓄積する検索結果情報蓄積ステップを具備し、前記検索結果情報近距離送信ステップにおいて、前記端末識別子で識別される移動体端末に対して、当該端末識別子と対になる検索結果情報を送信するプログラムであっても良い。
【００８６】
また、第二サーバ装置を実現するソフトウェアにおいて、コンピュータに、所定の条件に合致する場合に、前記端末検索情報または／および前記検索結果情報を削除する情報削除ステップをさらに実行させるためのプログラムであっても良い。
また、第二サーバ装置を実現するソフトウェアの前記端末検索情報転送ステップにおいて、所定の条件に合致した場合のみ、前記端末検索情報を他の第二サーバ装置に転送するものであっても良い。
【００８７】
また、上記各実施の形態において、各処理（各機能）は、単一の装置（システム）によって集中処理されることによって実現されてもよく、あるいは、複数の装置によって分散処理されることによって実現されてもよい。
【００８８】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、上記プログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
本発明は、以上の実施の形態に限定されることなく、種々の変更が可能であり、それらも本発明の範囲内に包含されるものであることは言うまでもない。
【産業上の利用可能性】
【００８９】
以上のように、本発明にかかる情報処理システムは、ユーザは、思いついた時に問い合わせを行い、必要な時に情報を得ることができる、という効果を有し、情報検索装置等として有用である。
【図面の簡単な説明】
【００９０】
【図１】実施の形態における情報処理システムの概念図を示す図
【図２】同情報処理システムのブロック図
【図３】同移動体端末の動作について説明するフローチャート
【図４】同第一サーバ装置、第二サーバ装置の動作について説明するフローチャート
【図５】同第一サーバ装置、第二サーバ装置の動作について説明するフローチャート
【図６】同店舗管理表を示す図
【図７】同店舗管理表を示す図
【図８】同店舗管理表を示す図
【図９】同入力画面表示例を示す図
【図１０】同端末検索情報を示す図
【図１１】同画面出力例を示す図
【図１２】同検索結果情報蓄積手段が蓄積した情報を示す図
【図１３】同画面出力例を示す図
【符号の説明】
【００９１】
１１  移動体端末
１２  第一サーバ装置
１３  第二サーバ装置
１１０１  検索情報受付部
１１０２  検索情報近距離送信部
１１０３  検索結果情報近距離受信部
１１０３  検索結果情報受信部
１１０４  検索結果情報出力部
１２０１  端末検索情報近距離受信部
１２０２  端末検索情報送信部
１３０１  端末検索情報受信部
１３０２  検索結果情報取得部
１３０３  検索結果情報近距離送信部
１３０４  端末検索情報転送部
１３０５  情報削除部
１１０３１  検索結果情報要求手段
１１０３２  検索結果情報受信手段
１３０２１  検索結果情報取得手段
１３０２２  検索結果情報蓄積手段
１３０３１  移動体端末認識手段
１３０３２  検索結果情報近距離送信手段
【図１】
2006276952.tif 000003
【図２】
2006276952.tif 000004
【図３】
2006276952.tif 000005
【図４】
2006276952.tif 000006
【図５】
2006276952.tif 000007
【図６】
2006276952.tif 000008
【図７】
2006276952.tif 000009
【図８】
2006276952.tif 000010
【図９】
2006276952.tif 000011
【図１０】
2006276952.tif 000012
【図１１】
2006276952.tif 000013
【図１２】
2006276952.tif 000014
【図１３】
2006276952.tif 000015